(57)【要約】【課題】徘徊者の移動を段階的に検出し、院外への徘徊を対応遅れのないように防止することができる徘徊者離院防止システムを提供すること。【解決手段】保持する徘徊者のタグＩＤを発信するＲＦＩＤタグ１と、該ＲＦＩＤタグ１が発信するタグＩＤを特定の区域で受信する無線受信機２と、該無線受信機２が受信したタグＩＤと予め登録されているタグＩＤとを比較し、これらのタグＩＤが一致した場合に異常と判断する演算装置３と、該演算装置３の演算結果を表示する表示装置４と、該演算装置３の演算結果を管理者側に通知する通知装置５とを備え、前記無線受信機２の受信区域６を外出経路７に段階的に複数設け、各受信区域６ごとに異常を判断して通知する。【選択図】図１
2005215961.tif 000002
【特許請求の範囲】
【請求項１】
保持する徘徊者のタグＩＤを発信するＲＦＩＤタグと、該ＲＦＩＤタグが発信するタグＩＤを特定の区域で受信する無線受信機と、該無線受信機が受信したタグＩＤと予め登録されているタグＩＤとを比較し、これらのタグＩＤが一致した場合に異常と判断する演算装置と、該演算装置の演算結果を表示する表示装置と、該演算装置の演算結果を管理者側に通知する通知装置とを備え、前記無線受信機の受信区域を外出経路に段階的に複数設け、各受信区域ごとに異常を判断して通知するようにしたことを特徴とする徘徊者離院防止システム。
【請求項２】
前記受信区域を建物又は施設の出入口に近いものほど高レベルに設定し、タグＩＤを受信した受信区域をレベル分けして通知するようにしたことを特徴とする請求項１記載の徘徊者離院防止システム。
【請求項３】
前記受信区域を３段階以上にレベル分けすることを特徴とする請求項２記載の徘徊者離院防止システム。
【請求項４】
前記演算装置が、徘徊者氏名、場所又は検出時間等の検出情報の表示を行うとともに、前記表示装置にも表示を行わせ、かつ、警報器により警報音を発生させることを特徴とする請求項１、２又は３記載の徘徊者離院防止システム。
【請求項５】
前記演算装置で、ＲＦＩＤタグのタグＩＤの登録、変更、削除を行うとともに、警報の停止操作と警報履歴の表示を行うことを特徴とする請求項１、２、３又は４記載の徘徊者離院防止システム。
【請求項６】
前記通知装置が、演算装置の演算結果を管理者の携帯端末に通知することを特徴とする請求項１、２、３、４又は５記載の徘徊者離院防止システム。
【請求項７】
前記通知装置が、演算装置の演算結果を管理者呼び出し装置に通知することを特徴とする請求項１、２、３、４、５又は６記載の徘徊者離院防止システム。
【発明の詳細な説明】
【技術分野】
【０００１】
本発明は、ＲＦＩＤ（Ｒａｄｉｏ Ｆｒｅｑｕｅｎｃｙ Ｉｄｅｎｔｉｆｉｃａｔｉｏｎ（電波方式認識）。本明細書において、「ＲＦＩＤ」という。）を用い、例えば、徘徊老人等が病院内の出入口やエレベータホール等の監視エリアに近づいたときに、管理者（例えば、看護師）に警報を通知する徘徊者離院防止システムに関するものである。
【背景技術】
【０００２】
従来、徘徊者の監視システムとして、監視エリア内の通過を記憶しておき、監視エリアを離れたときに管理者に警報を通知するシステムがある。
この徘徊監視システムは、徘徊者が保持する携帯送信機からの識別情報に基づいて、監視エリア内で徘徊者の追尾を行い、監視エリアから徘徊者の識別情報が消えることにより異常と判断するようにしている。
【０００３】
しかしながら、上記従来の徘徊監視システムは、監視エリアから徘徊者の識別情報が消えることにより異常と判断することから、異常が通知されたときには管理者の対応が間に合わないことがあり、例えば、病院の場合では、徘徊者が院外へ出て行ってしまい事故に遭遇する危険性があった（例えば、特許文献１参照）。
また、病院の他、特別養護老人ホームや介護センター等の場合、院内（施設内）であれば監視していなくてよく、院外への徘徊を防止できればよいという要求もあった。
【０００４】
【特許文献１】特開平１０−１４３７８８号公報
【発明の開示】
【発明が解決しようとする課題】
【０００５】
本発明は、上記従来の徘徊監視システムが有する問題点に鑑み、徘徊者の移動を段階的に検出し、院外への徘徊を対応遅れのないように防止することができる徘徊者離院防止システムを提供することを目的とする。
【課題を解決するための手段】
【０００６】
上記目的を達成するため、本発明の徘徊者離院防止システムは、保持する徘徊者のタグＩＤを発信するＲＦＩＤタグと、該ＲＦＩＤタグが発信するタグＩＤを特定の区域で受信する無線受信機と、該無線受信機が受信したタグＩＤと予め登録されているタグＩＤとを比較し、これらのタグＩＤが一致した場合に異常と判断する演算装置と、該演算装置の演算結果を表示する表示装置と、該演算装置の演算結果を管理者側に通知する通知装置とを備え、前記無線受信機の受信区域を外出経路に段階的に複数設け、各受信区域ごとに異常を判断して通知するようにしたことを特徴とする。
【０００７】
この場合において、前記受信区域を建物又は施設の出入口に近いものほど高レベルに設定し、タグＩＤを受信した受信区域をレベル分けして通知することができる。
【０００８】
また、前記受信区域を３段階以上にレベル分けすることができる。
【０００９】
また、前記演算装置が、徘徊者氏名、場所又は検出時間等の検出情報の表示を行うとともに、前記表示装置にも表示を行わせ、かつ、警報器により警報音を発生させることができる。
【００１０】
また、前記演算装置で、ＲＦＩＤタグのタグＩＤの登録、変更、削除を行うとともに、警報の停止操作と警報履歴の表示を行うことができる。
【００１１】
また、前記通知装置が、演算装置の演算結果を管理者の携帯端末に通知することができる。
【００１２】
また、前記通知装置が、演算装置の演算結果を管理者呼出装置に通知することができる。
【発明の効果】
【００１３】
本発明の徘徊者離院防止システムによれば、保持する徘徊者のタグＩＤを発信するＲＦＩＤタグと、該ＲＦＩＤタグが発信するタグＩＤを特定の区域で受信する無線受信機と、該無線受信機が受信したタグＩＤと予め登録されているタグＩＤとを比較し、これらのタグＩＤが一致した場合に異常と判断する演算装置と、該演算装置の演算結果を表示する表示装置と、該演算装置の演算結果を管理者側に通知する通知装置とを備え、前記無線受信機の受信区域を外出経路に段階的に複数設け、各受信区域ごとに異常を判断して通知することから、徘徊者の移動を段階的に検出し、院外への徘徊を対応遅れのないように防止することができる。
【００１４】
この場合、前記受信区域を建物又は施設の出入口に近いものほど高レベルに設定し、タグＩＤを受信した受信区域をレベル分けして通知することにより、徘徊者の移動を緊急を要するものとそうでないものとに判別し、院外への徘徊を適正な対応をもって防止することができる。
【００１５】
また、前記受信区域を３段階以上にレベル分けすることにより、徘徊者の現在位置をより細やかに把握し、院外への徘徊を適正な対応をもって防止することができる。
【００１６】
また、前記演算装置が、徘徊者氏名、場所又は検出時間等の検出情報の表示を行うとともに、前記表示装置にも表示を行わせ、かつ、警報器により警報音を発生させることにより、徘徊者の移動の詳細を管理者に効果的に通知することができる。
【００１７】
また、前記演算装置で、ＲＦＩＤタグのタグＩＤの登録、変更、削除を行うとともに、警報の停止操作と警報履歴の表示を行うことにより、徘徊者やその移動データの管理を適切に行うことができる。
【００１８】
また、前記通知装置が、演算装置の演算結果を管理者の携帯端末に通知することにより、徘徊者の移動を管理者の居場所にかかわらず通知することができる。
【００１９】
また、前記通知装置が、演算装置の演算結果を管理者呼出装置に通知することにより、ナースステーション等の管理者に徘徊者の移動を通知することができる。
【発明を実施するための最良の形態】
【００２０】
以下、本発明の徘徊者離院防止システムの実施の形態を図面に基づいて説明する。
【実施例１】
【００２１】
図１〜図４に、本発明の徘徊者離院防止システムの一実施例を示す。
この徘徊者離院防止システムは、保持する徘徊者のタグＩＤを発信するＲＦＩＤタグ１と、該ＲＦＩＤタグ１が発信するタグＩＤを特定の区域で受信する無線受信機２と、該無線受信機２が受信したタグＩＤと予め登録されているタグＩＤとを比較し、これらのタグＩＤが一致した場合に異常と判断する演算装置３と、該演算装置３の演算結果を表示する表示装置４と、該演算装置３の演算結果を管理者側に通知する通知装置５とを備え、前記無線受信機２の受信区域６を外出経路７に段階的に複数設け、各受信区域６ごとに異常を判断して通知するようにしている。
前記受信区域６は、建物又は施設の出入口に近いものほど高レベルに設定されており、これにより、タグＩＤを受信した受信区域６が、例えば、高中低の３段階にレベル分けして通知される。
【００２２】
ＲＦＩＤタグ１は、患者の識別情報をタグＩＤとして電波により常時発信する携帯型の発信機であり、徘徊者が常に携行するようにする。
一方、無線受信機２は、該無線受信機２に接続されるアンテナ２１の設置方法等により、通路の一区画やエレベータホール等の外出経路７の特定の区域で、ＲＦＩＤタグ１のタグＩＤを受信することができる。
【００２３】
演算装置３は、徘徊者氏名、場所又は検出時間等の検出情報の表示を行う（具体的には、管理端末３１に表示する。）とともに、前記表示装置４にも表示を行わせ、表示装置４の警報器４２により警報音を発生させることができる。
また、この演算装置３で、ＲＦＩＤタグ１のタグＩＤの登録、変更、削除を行うとともに、警報の停止操作と警報履歴の表示を行うことができる。
これにより、ＲＦＩＤタグ１のタグＩＤと携帯させる患者、患者の所属病棟や氏名、看護師の所属病棟や氏名を管理するデータベースを作ることができる。
なお、演算装置３や通知装置５、表示装置４としては、パソコン等を使用することができる。
【００２４】
通知装置５は、演算装置３の演算結果を、サーバを介して管理者の携帯端末に異常を通知するとともに、ナースステーション等の管理者呼出装置に通知することができる。
具体的には、データベースから検索した担当病棟のナースコールシステムに異常を通知する方法や、担当の看護師の持つＰＨＳや保安室のタッチパネル４１に、検出場所、時刻、患者名を表示させる方法を採用することができる。このように、担当の病棟の看護師に連絡することにより、他の病棟の看護師に影響を与えることなく全体的な負担を軽減することができる。
この場合、病棟内部で徘徊を検出した場合は、ナースコールシステムとＰＨＳに通知するようにし、病棟や病院の出入口で徘徊を検出した場合は、緊急事態として全ての通知先に異常を通知することができる。
これにより、病棟や病院の出入口で患者を検出し、ＰＨＳやタッチパネル４１に表示された警報に従い、看護師や保安係が検出場所に駆けつけることで、患者を確保することができる。
また、病棟と病院の出入口などの２箇所で異常を検出することにより、外出しようとする患者を確保する機会が２回になり、１箇所の検出に比べて精度が高くなる。
【００２５】
次に、本実施例の徘徊者離院防止システムの使用方法を説明する。
まず、図２に示すように、演算装置３の管理端末３１から、管理対象となる徘徊者に保持させるＲＦＩＤタグ１のタグＩＤの情報を登録する。
ＲＦＩＤタグ１は常時無線を発信するが、例えば、発信周期を１秒にするなど、設定により発信周期を変更することが可能である。
【００２６】
これに対し、ＲＦＩＤタグ１のタグＩＤを受信する無線受信機２は、例えば、脳障害患者等が入院している病院において、図４に示すように、病棟と外部との仕切りとなる場所、例えば、エレベータホール、入院病棟と外来との区切り箇所、病棟や病院又は施設の出入口等に受信区域６が設置される。
そして、この受信区域６のレベルを演算装置３の管理端末３１から設定する。このとき、エレベータホール等、病棟内の受信区域６ａのレベルは低く、病棟の出入口等の外部に直結する場所の受信区域６ｂのレベルは高くしておく方が望ましい。
この受信区域６の検出レベルは、２段階だけでなく、それ以上の複数段階で設定可能であるが、２段階もしくは３段階が適当であると考えられる。また、徘徊の状態に応じて、患者ごとに検出レベルの段階を設定することもできる。
【００２７】
徘徊管理を行う入院患者にＲＦＩＤタグ１を保持させ、入院患者が病棟内を移動している分については何も管理しないようにする。
一方、入院患者が検出エリアに入り、該検出エリアを受信区域６とする無線受信機２でＲＦＩＤタグ１が発信する無線を受信すると、図２に示すように、その情報は演算装置３に送られ、先に登録したタグＩＤの情報と比較される。
そして、この検出エリアでこの入院患者の情報が受信されるということが異常（徘徊の可能性有）と判断された場合は、予め設定されたレベルの異常として管理端末３１に異常情報を出力するとともに、表示装置４と通知装置５に異常情報を出力する。
【００２８】
異常情報は、場所、徘徊者氏名、検出時間、タグＩＤ等とし、図３に示す表示装置４のタッチパネル４１にも同様に表示される。
また、図３に示すように、タッチパネル４１の近傍に警報器４２を設置しておけば、ブザー音で異常情報を知ることができる。ブザー音は一定時間後に自動停止するが、管理端末３１又はタッチパネル４１から警報停止の操作を行うことでも止めることができる。また、近くにスイッチボックス４３を設置しておき、その操作ボタンを押すことで止めるようにすることもできる。
【００２９】
異常情報は、先に管理端末３１から設定した受信区域６の検出レベルに合わせて、音色や音量、色、メッセージ内容等を変えることが望ましい。
異常情報は、通知装置５により次のように管理者へ通知することができる。
まず第１は、管理者が執務する事務所（例えば、ナースステーション）に警報器４２を設置しておけば、先の図３のようにブザー音で異常を知ることができる。
第２は、通知装置５にサーバを設け、このサーバを経由して他のシステム、例えば、院内ＰＨＳシステムやポケベル等に異常情報を送り、管理者（例えば、看護師）が保持しているＰＨＳやポケベルに異常情報を送信して通知することができる。
第３は、サーバを経由して管理者が執務する事務所（例えば、ナースステーション）にある呼出設備に異常情報を送り、通知することができる。
なお、本実施例では、ＲＦＩＤタグ１を保持している入院患者が受信区域６に入り、ＲＦＩＤタグ１からの無線を１回受信すれば異常（徘徊の可能性有）としているが、２回受信で異常とする等の設計事項的な変更は可能である。
【００３０】
かくして、本実施例の徘徊者離院防止システムは、保持する徘徊者のタグＩＤを発信するＲＦＩＤタグ１と、該ＲＦＩＤタグ１が発信するタグＩＤを特定の区域で受信する無線受信機２と、該無線受信機２が受信したタグＩＤと予め登録されているタグＩＤとを比較し、これらのタグＩＤが一致した場合に異常と判断する演算装置３と、該演算装置３の演算結果を表示する表示装置４と、該演算装置３の演算結果を管理者側に通知する通知装置５とを備え、前記無線受信機２の受信区域６を外出経路７に段階的に複数設け、各受信区域６ごとに異常を判断して通知することから、徘徊者の移動を段階的に検出することができ、これにより、徘徊者の現在位置を的確に把握し、院外への徘徊を対応遅れのないように防止することができる。
この場合、前記演算装置３が、受信区域６を建物又は施設の出入口に近いものほど高レベルに設定し、タグＩＤを受信した受信区域６をレベル分けして通知することにより、徘徊者の移動を緊急を要するものとそうでないものとに判別し、院外への徘徊を適正な対応をもって防止することができる。
また、前記受信区域６を３段階以上にレベル分けすることにより、徘徊者の現在位置をより細やかに把握し、院外への徘徊を適正な対応をもって防止することができる。
【００３１】
また、前記演算装置３が、徘徊者氏名、場所又は検出時間等の検出情報の表示を行う（具体的には、管理端末３１に表示する。）とともに、前記表示装置４にも表示を行わせ、警報器４２により警報音を発生させることにより、徘徊者の移動の詳細を管理者に効果的に通知することができる。
また、前記演算装置３で、ＲＦＩＤタグ１のタグＩＤの登録、変更、削除を行うとともに、警報の停止操作と警報履歴の表示を行うことにより、徘徊者やその移動データの管理を適切に行うことができる。
また、前記通知装置５が、演算装置３の演算結果を管理者の携帯端末に通知することにより、徘徊者の移動を管理者の居場所にかかわらず通知することができる。
また、前記通知装置５が、演算装置３の演算結果を管理者呼出装置に通知することにより、ナースステーション等の管理者に徘徊者の移動を通知することができる。
【００３２】
一般に、監視が必要な脳障害患者等は、体の自由がある程度利くため、徘徊により病院から出て行って事故に遭遇する危険性があるが、赤外線センサやマットセンサ等を出入口に置いた場合は、患者以外の人も検出してしまう。
また、人の出入りが多い場合は、徘徊者が他の人に混じって出て行く場合があるため、カメラ等で監視しても効果がない。
これに対し、本実施例の徘徊者離院防止システムは、ＲＦＩＤタグ１からの識別情報により、一人一人の患者の移動を個別に検出できるため、これらの事態も容易に解消することができる。
【００３３】
以上、本発明の徘徊者離院防止システムについて、実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００３４】
以上、本発明の徘徊者離院防止システムは、院外への徘徊を対応遅れのないように防止することができるという特性を有していることから、例えば、徘徊性のある患者の入院管理等の用途に好適に用いることができる。
【図面の簡単な説明】
【００３５】
【図１】本発明の徘徊者離院防止システムの一実施例を示す説明図である。
【図２】同徘徊者離院防止システムの演算装置を示す説明図である。
【図３】同表示装置を示す説明図である。
【図４】同無線受信機の受信区域を示す説明図である。
【符号の説明】
【００３６】
１    ＲＦＩＤタグ
２    無線受信機
２１  アンテナ
３    演算装置
３１  管理端末
４    表示装置
４１  タッチパネル
４２  警報器
４３  スイッチボックス
５    通知装置
６    受信区域
７    外出経路
【図１】
2005215961.tif 000003
【図２】
2005215961.tif 000004
【図３】
2005215961.tif 000005
【図４】
2005215961.tif 000006